(57)【要約】【課題】電気設備工事の自主検査を安全に行なえるようにする。【解決手段】装置本体５０には、入力用ケーブル３０の第１入力線Ｌａと出力用ケーブル４０の第１電圧ライン接続線Ｌ１の間、第１入力線Ｌａと第２電圧ライン接続線Ｌ２との間、および、第２入力線Ｎａと中性ライン接続線Ｎｂとの間をそれぞれ接続させて、電気設備１０の第１電圧ラインと中性ラインの間、第２電圧ラインと中性ラインの間にそれぞれ単相１００Ｖを供給する第１給電モードと、第１入力線Ｌａと第１電圧ライン接続線Ｌ１との間、第２入力線Ｎａと第２電圧ライン接続線Ｌ２との間をそれぞれ接続させて、電気設備１０の第１電圧ラインと第２電圧ラインの間に単相１００Ｖを擬似的な単相２００Ｖとして供給する第２給電モードとを切替えるモード切替スイッチ７５と、このモード切替スイッチ７５による給電モードを識別表示するモード表示器８０とが設けられている。【選択図】図１
2018059891.tif 000002
【特許請求の範囲】
【請求項１】
第１入力線（Ｌａ）、第２入力線（Ｎａ）およびアース線（Ｅ）と、該第１入力線、第２入力線およびアース線の一端側を単相２線式１００Ｖの仮設電源のアース付きコンセントに接続させるためのプラグ（３１）とを含む入力用ケーブル（３０）と、
検査対象の単相３線式１００／２００Ｖの電気設備の第１電圧ライン、第２電圧ライン、中性ラインにそれぞれ接続するための第１電圧ライン接続線（Ｌ１）、第２電圧ライン接続線（Ｌ２）、中性ライン接続線（Ｎｂ）と、これら各接続線の一端側に接続され、該各接続線の一端側を前記電気設備の前記第１電圧ライン、前記第２電圧ライン、前記中性ラインにそれぞれ着脱自在に接続するための接続具（４１ａ〜４１ｃ）とを含む出力用ケーブル（４０）と、
絶縁性材料からなる筐体（５１）を有し、前記入力用ケーブルの前記第１入力線、第２入力線およびアース線の他端側、前記出力用ケーブルの前記各接続線の他端側を前記筐体内に引き込む手段（５２、５３）を有する装置本体（５０）とを備え、
前記装置本体に、
前記筐体の外側からの操作が可能に形成され、前記筐体内で、前記第１入力線と前記第１電圧ライン接続線の間、前記第１入力線と前記第２電圧ライン接続線との間、および、前記第２入力線と前記中性ライン接続線との間をそれぞれ接続させて、前記電気設備の前記第１電圧ラインと前記中性ラインの間、および、前記電気設備の前記第２電圧ラインと前記中性ラインの間にそれぞれ単相１００Ｖを供給する第１給電モードと、前記筐体内で、前記第１入力線と前記第１電圧ライン接続線との間、および、前記第２入力線と前記第２電圧ライン接続線との間をそれぞれ接続させて、前記電気設備の前記第１電圧ラインと前記第２電圧ラインの間に単相１００Ｖを擬似的な単相２００Ｖとして供給する第２給電モードとを切替えるモード切替スイッチ（７５）と、
前記モード切替スイッチが前記第１給電モードと第２給電モードのいずれにあるかを前記筐体の外側から識別できるように表示するモード表示器（８０）とが設けられていることを特徴とする電気設備工事検査用給電装置。
【請求項２】
前記モード切替スイッチは、前記第１給電モードの接続状態となる操作位置と前記第２給電モードの接続状態となる操作位置の中間の操作位置で、前記第１入力線および前記第２入力線が前記出力用ケーブルのいずれの接続線にも接続されない状態に保持可能な中点保持機能付きのスイッチであることを特徴とする請求項１記載の電気設備工事検査用給電装置。
【請求項３】
前記装置本体には、前記筐体内部に引き込んだ前記入力用ケーブルの前記第１入力線、第２入力線の少なくとも一方に、前記入力用ケーブルの許容電流以下の電流で溶断するヒューズ（６１）が挿入されていることを特徴とする請求項１または請求項２記載の電気設備工事検査用給電装置。
【請求項４】
前記装置本体には、前記筐体内部に引き込んだ前記入力用ケーブルの前記第１入力線、第２入力線の少なくとも一方に、手動操作により電流の開閉が可能なメインスイッチ（６２）が挿入されていることを特徴とする請求項１〜３のいずれかに記載の電気設備工事検査用給電装置。
【請求項５】
前記装置本体には、前記筐体内部に引き込んだ前記入力用ケーブルの前記第１入力線、第２入力線に漏電遮断器（６３）が挿入されていることを特徴とする請求項１〜４のいずれかに記載の電気設備工事検査用給電装置。
【請求項６】
前記装置本体には、前記筐体内部に引き込んだ前記入力用ケーブルの前記第１入力線、第２入力線の少なくとも一方に過電流遮断器（６５）が挿入されていることを特徴とする請求項１〜５のいずれかに記載の電気設備工事検査用給電装置。
【請求項７】
前記出力用ケーブルの前記各接続線の他端側は３端子雄型コネクタ（４２）に接続され、
前記装置本体は、前記出力用ケーブルの前記３端子雄型コネクタの着脱が可能な３端子雌型コネクタ（５３）を介して、前記出力用ケーブルの前記各接続線の他端側を前記筐体内に引き込んでいることを特徴とする請求項１〜６のいずれかに記載の電気設備工事検査用給電装置。
【請求項８】
前記入力用ケーブルの前記第１入力線、第２入力線およびアース線の他端側は、３端子雌型コネクタ（３２）に接続され、
前記装置本体は、前記入力用ケーブルの前記３端子雌型コネクタの着脱が可能な３端子雄型コネクタ（５２）を介して、前記入力用ケーブルの前記第１入力線、第２入力線およびアース線の他端側を前記筐体内に引き込んでいることを特徴とする請求項１〜７のいずれかに記載の電気設備工事検査用給電装置。
【請求項９】
前記モード切替スイッチを介して単相１００Ｖが供給される単相１００Ｖ用コンセント（４５、４６）が設けられ、該単相１００Ｖ用コンセントにプラグ接続される電気機器の動作試験を可能にしたことを特徴とする請求項１〜８のいずれかに記載の電気設備工事検査用給電装置。
【請求項１０】
前記単相１００Ｖ用コンセントが前記装置本体に設けられ、該単相１００Ｖ用コンセントに対して単相１００Ｖが前記装置本体内で供給されることを特徴とする請求項９記載の電気設備工事検査用給電装置。
【請求項１１】
前記出力用ケーブルには、
一端側に前記電気設備の各ラインにそれぞれ着脱自在に接続するための前記接続具が設けられた電気設備検査用の前記出力用ケーブル（４０）の他に、前記単相１００Ｖ用コンセントが一端側に設けられた電気機器検査用の出力用ケーブル（４０′、４０″）が含まれていることを特徴とする請求項９記載の電気設備工事検査用給電装置。
【請求項１２】
前記出力用ケーブルは、
一端側に、前記電気設備の各ラインにそれぞれ着脱自在に接続するための前記接続具および前記単相１００Ｖ用コンセントが設けられた電気設備検査用と電気機器検査用とを兼ねた出力用ケーブル（１００、１００′）であることを特徴する請求項９記載の電気設備工事検査用給電装置。
【発明の詳細な説明】
【技術分野】
【０００１】
本発明は、集合住宅、マンション、ホテル等の電気設備の工事現場で、本受電前に、その配線工事が正しく行なわれているか否かの検査（工事施工者等による自主検査）を安全に行なうための技術に関する。
【背景技術】
【０００２】
集合住宅、マンション、ホテル等の電気設備の工事現場では、各住戸、各部屋の分電盤から負荷設備のコンセント、電灯等へ電力を供給するための配線等の各種工事を行なっている。
【０００３】
この電気設備の工事の完成検査は、一般的に、本受電後（電力会社から供給される単相３線式１００Ｖ／２００Ｖの給電線を分電盤に接続した後）に、各コンセントに対する検電器等による検査、壁などに取り付けられたスイッチの操作による電灯の点灯や換気扇等の動作の確認を行なっているが、この完成検査の段階で、電気設備の誤配線、誤結線、短絡等があることがわかると、改修が必要となり、壁や天井等の内装工事のやり直しが発生して、工期遅れが発生し、無駄な出費が発生し、電気設備工事業者やそれを管理するゼネコン（総合建設業者）等に膨大な損害を与えることになる。
【０００４】
これを防ぐために、本受電前で、且つ、工事した配線などの修正が容易な状態（内装工事完了前）で、電気設備の工事施工者等が工事に用いる仮設電源（一般的に、単相２線式１００Ｖ）と、各戸に設置した分電盤（一般的に単相３線式１００Ｖ／２００Ｖ）との間を、自作したケーブル等で一時的に接続し、給電することで、分電盤から屋内のコンセントや電灯などの間を接続する配線についての誤配線、誤結線、短絡等の有無を調べる、所謂、自主検査を行なっていた。
【０００５】
ただし、単相３線式１００Ｖ／２００Ｖの分電盤には、本受電の際に電力会社からの電力を受けるために引込まれる３本の給電線、即ち、第１電圧ライン（赤被覆線）、第２電圧ライン（黒被覆線）、中性ライン（白被覆線）を接続するための３つの給電端子が設けられているのに対し、仮設電源側は、基本的に線間電圧がＡＣ（交流）１００Ｖの２本の電線しかない（保安用のアース線は別として）。
【０００６】
したがって、自主検査の場合、例えば図１２に示すような自主検査用のケーブル５を用いることになる。このケーブル５は、単相２線式の仮設電源１側のコンセント２に差し込み可能なプラグ６に２本の電線Ｌｌ、Ｌ２の一端側が接続され、その一方の電線Ｌ１が２つの電線Ｌ１ａ、Ｌ１ｂに分岐され、電線Ｌ１ａ、Ｌ１ｂ、Ｌ２の他端側に金属クリップ(鰐口クリップ等)やネジ止めワッシャ等の接続具７ａ、７ｂ、７ｃがそれぞれ設けられている。
【０００７】
そして、実際に自主検査を行なう場合には、接続具７ａ〜７ｃを介して、電線Ｌ１ａを工事中の電気設備１０（一般的には分電盤）の第１電圧ラインの給電端子１０ａに接続し、電線Ｌ１ｂを第２電圧ラインの給電端子１０ｂに接続し、電線Ｌ２を中性ラインの給電端子１０ｃに接続してから、プラグ６を仮設電源１のコンセント２に差し込む。
【０００８】
この状態で、電気設備１０側の第１電圧ラインと中性ラインとの間、および第２電圧ラインと中性ラインとの間にそれぞれＡＣ１００Ｖが供給されることになり、例えば、電気設備１０の単相１００Ｖのコンセントに検電器等を接続したり、１００Ｖ用の電灯器具の動作確認等を行なうことで、検査が可能となる。
【０００９】
なお、上記のように単相２線式の電力を単相３線式のラインに擬似的に供給するためのケーブルは、例えば次の特許文献１に開示されている。
【先行技術文献】
【特許文献】
【００１０】
【特許文献１】特開２００９−１８７６８５号公報
【発明の概要】
【発明が解決しようとする課題】
【００１１】
しかしながら、上記のような自主検査用のケーブル５を用いた場合、電気設備１０の第１電圧ラインと第２電圧ラインには同相のＡＣ１００Ｖが供給されるので、これらのライン間に設けられた単相２００Ｖ用コンセントの端子間には電位差が生じず、配線が正しく行なわれているかどうかを容易に判断できないという問題がある。
【００１２】
これを解決するために、図１３のように、ケーブル５の電線Ｌ１ｂを、第２電圧ラインの給電端子１０ｂから外し、ケーブル５の電線Ｌ２を中性ラインの給電端子１０ｃから第２電圧ラインの給電端子１０ｂに繋ぎ変え、第１電圧ラインと第２電圧ラインとの間にＡＣ１００Ｖを印加することが考えられる。
【００１３】
しかしながら、上記したような、検査中における電気設備１０の給電端子に対するケーブルの繋ぎ変え作業は、安全面で大きな問題がある。
【００１４】
例えば、仮設電源１のコンセント２にプラグ６を差し込んだまま、電気設備１０の分電盤の給電端子に対するケーブルの繋ぎ変えを行なうと、アーク（火花）が発生し、分電盤のケースや、分電盤に取り付けられているブレーカ、漏電検知器等に焦げ跡がついてしまい、分電盤を交換しなければならなくなる。
【００１５】
この問題は、電気設備１０の給電端子に対するケーブルの繋ぎ変えより先に、仮設電源１のコンセント２からプラグ６を引き抜くことで解消できるが、プラグ６の引抜きの際に、やはりアークが発生し、コンセント２やプラグ６のケースが焦げたり、溶ける等の問題が生じる。
【００１６】
また、現状の接続状態が、図１２の状態か図１３の状態であるかは、電気設備１０の給電端子に対するケーブルの接続状態を確認しなければ把握できない不便さがあった。
【００１７】
また、電気設備１０の配線に短絡がある状態で、ケーブル５の他端側を電気設備１０に接続すると、短絡による過大電流が流れる。このとき、仮設電源１側にブレーカがある場合、その電流容量は、一般的に電気設備１０側の分電盤に設けられているブレーカの電流容量より小さいので、分電盤のブレーカより先に、仮設電源１側のブレーカが遮断状態となるが、仮設電源１は、電気設備の工事に使用される照明器や電動工具の電源としても使用されているので、その仮設電源１側のブレーカが突然遮断状態になると、作業を安全に行なうことができない。
【００１８】
また、仮設電源１側にブレーカが挿入されていない場合で、電気設備１０の配線に短絡があると、分電盤のブレーカが遮断状態となるが、一般的に分電盤のブレーカが作動する電流は３０Ａ〜５０Ａ程度であるのに対し、自主検査用に用いるケーブル５は、その太さの制限からせいぜい１２Ａ程度である。
【００１９】
したがって、上記のような短絡がある場合、このケーブル５には、分電盤のブレーカが作動するまでの間、許容値を超える大電流が流れることになり、ケーブル５の電線自体の発熱、プラグ６の端子の発熱等が発生して危険である。
【００２０】
また、上記のようにケーブル５の他端側を電気設備１０の分電盤の入力側の給電端子に接続する場合には、短絡に対して分電盤のブレーカによる保護が効くが、そのブレーカ以降の各ラインに、ケーブル５の他端側を接続して検査する場合も考えられる。
【００２１】
この場合、分電盤のブレーカ以降のライン間に短絡があると、分電盤のブレーカによる保護が効かなくなり、ケーブル５には、許容値を超える電流が流れ続けることになり、ケーブル５および仮設電源側の発熱、発火等の重大事故を招く。
【００２２】
本発明は、上記課題を解決して、工事用の仮設電源を用いた電気設備工事の自主検査を、安全に行なえる電気設備工事検査用給電装置を提供することを目的としている。
【課題を解決するための手段】
【００２３】
前記目的を達成するために、本発明の請求項１の電気設備工事検査用給電装置は、
第１入力線（Ｌａ）、第２入力線（Ｎａ）およびアース線（Ｅ）と、該第１入力線、第２入力線およびアース線の一端側を単相２線式１００Ｖの仮設電源のアース付きコンセントに接続させるためのプラグ（３１）とを含む入力用ケーブル（３０）と、
検査対象の単相３線式１００／２００Ｖの電気設備の第１電圧ライン、第２電圧ライン、中性ラインにそれぞれ接続するための第１電圧ライン接続線（Ｌ１）、第２電圧ライン接続線（Ｌ２）、中性ライン接続線（Ｎｂ）と、これら各接続線の一端側に接続され、該各接続線の一端側を前記電気設備の前記第１電圧ライン、前記第２電圧ライン、前記中性ラインにそれぞれ着脱自在に接続するための接続具（４１ａ〜４１ｃ）とを含む出力用ケーブル（４０）と、
絶縁性材料からなる筐体（５１）を有し、前記入力用ケーブルの前記第１入力線、第２入力線およびアース線の他端側、前記出力用ケーブルの前記各接続線の他端側を前記筐体内に引き込む手段（５２、５３）を有する装置本体（５０）とを備え、
前記装置本体に、
前記筐体の外側からの操作が可能に形成され、前記筐体内で、前記第１入力線と前記第１電圧ライン接続線の間、前記第１入力線と前記第２電圧ライン接続線との間、および、前記第２入力線と前記中性ライン接続線との間をそれぞれ接続させて、前記電気設備の前記第１電圧ラインと前記中性ラインの間、および、前記電気設備の前記第２電圧ラインと前記中性ラインの間にそれぞれ単相１００Ｖを供給する第１給電モードと、前記筐体内で、前記第１入力線と前記第１電圧ライン接続線との間、および、前記第２入力線と前記第２電圧ライン接続線との間をそれぞれ接続させて、前記電気設備の前記第１電圧ラインと前記第２電圧ラインの間に単相１００Ｖを擬似的な単相２００Ｖとして供給する第２給電モードとを切替えるモード切替スイッチ（７５）と、
前記モード切替スイッチが前記第１給電モードと第２給電モードのいずれにあるかを前記筐体の外側から識別できるように表示するモード表示器（８０）とが設けられていることを特徴とする。
【００２４】
また、本発明の請求項２の電気設備工事検査用給電装置は、請求項１記載の電気設備工事検査用給電装置において、
前記モード切替スイッチは、前記第１給電モードの接続状態となる操作位置と前記第２給電モードの接続状態となる操作位置の中間の操作位置で、前記第１入力線および前記第２入力線が前記出力用ケーブルのいずれの接続線にも接続されない状態に保持可能な中点保持機能付きのスイッチであることを特徴とする。
【００２５】
また、本発明の請求項３の電気設備工事検査用給電装置は、請求項１または請求項２記載の電気設備工事検査用給電装置において、
前記装置本体には、前記筐体内部に引き込んだ前記入力用ケーブルの前記第１入力線、第２入力線の少なくとも一方に、前記入力用ケーブルの許容電流以下の電流で溶断するヒューズ（６１）が挿入されていることを特徴とする。
【００２６】
また、本発明の請求項４の電気設備工事検査用給電装置は、請求項１〜３のいずれかに記載の電気設備工事検査用給電装置において、
前記装置本体には、前記筐体内部に引き込んだ前記入力用ケーブルの前記第１入力線、第２入力線の少なくとも一方に、手動操作により電流の開閉が可能なメインスイッチ（６２）が挿入されていることを特徴とする。
【００２７】
また、本発明の請求項５の電気設備工事検査用給電装置は、請求項１〜４のいずれかに記載の電気設備工事検査用給電装置において、
前記装置本体には、前記筐体内部に引き込んだ前記入力用ケーブルの前記第１入力線、第２入力線に漏電遮断器（６３）が挿入されていることを特徴とする。
【００２８】
また、本発明の請求項６の電気設備工事検査用給電装置は、請求項１〜５のいずれかに記載の電気設備工事検査用給電装置において、
前記装置本体には、前記筐体内部に引き込んだ前記入力用ケーブルの前記第１入力線、第２入力線の少なくとも一方に過電流遮断器（６５）が挿入されていることを特徴とする。
【００２９】
また、本発明の請求項７の電気設備工事検査用給電装置は、請求項１〜６のいずれかに記載の電気設備工事検査用給電装置において、
前記出力用ケーブルの前記各接続線の他端側は３端子雄型コネクタ（４２）に接続され、
前記装置本体は、前記出力用ケーブルの前記３端子雄型コネクタの着脱が可能な３端子雌型コネクタ（５３）を介して、前記出力用ケーブルの前記各接続線の他端側を前記筐体内に引き込んでいることを特徴とする。
【００３０】
また、本発明の請求項８の電気設備工事検査用給電装置は、請求項１〜７のいずれかに記載の電気設備工事検査用給電装置において、
前記入力用ケーブルの前記第１入力線、第２入力線およびアース線の他端側は、３端子雌型コネクタ（３２）に接続され、
前記装置本体は、前記入力用ケーブルの前記３端子雌型コネクタの着脱が可能な３端子雄型コネクタ（５２）を介して、前記入力用ケーブルの前記第１入力線、第２入力線およびアース線の他端側を前記筐体内に引き込んでいることを特徴とする。
【００３１】
また、本発明の請求項９の電気設備工事検査用給電装置は、請求項１〜８のいずれかに記載の電気設備工事検査用給電装置において、
前記モード切替スイッチを介して単相１００Ｖが供給される単相１００Ｖ用コンセント（４５、４６）が設けられ、該単相１００Ｖ用コンセントにプラグ接続される電気機器の動作試験を可能にしたことを特徴とする。
【００３２】
また、本発明の請求項１０の電気設備工事検査用給電装置は、請求項９記載の電気設備工事検査用給電装置において、
前記単相１００Ｖ用コンセントが前記装置本体に設けられ、該単相１００Ｖ用コンセントに対して単相１００Ｖが前記装置本体内で供給されることを特徴とする。
【００３３】
また、本発明の請求項１１の電気設備工事検査用給電装置は、請求項９記載の電気設備工事検査用給電装置において、
前記出力用ケーブルには、
一端側に前記電気設備の各ラインにそれぞれ着脱自在に接続するための前記接続具が設けられた電気設備検査用の前記出力用ケーブル（４０）の他に、前記単相１００Ｖ用コンセントが一端側に設けられた電気機器検査用の出力用ケーブル（４０′、４０″）が含まれていることを特徴とする。
【００３４】
また、本発明の請求項１２の電気設備工事検査用給電装置は、請求項９記載の電気設備工事検査用給電装置において、
前記出力用ケーブルは、
一端側に、前記電気設備の各ラインにそれぞれ着脱自在に接続するための前記接続具および前記単相１００Ｖ用コンセントが設けられた電気設備検査用と電気機器検査用とを兼ねた出力用ケーブル（１００、１００′）であることを特徴する。
【発明の効果】
【００３５】
このように、本発明の請求項１記載の電気設備工事検査用給電装置は、装置本体の筐体内で、入力用ケーブルの第１入力線と出力用ケーブルの第１電圧ライン接続線の間、第１入力線と第２電圧ライン接続線との間、および、第２入力線と前記中性ライン接続線との間をそれぞれ接続させて、電気設備の第１電圧ラインと中性ラインの間、および、電気設備の第２電圧ラインと中性ラインの間にそれぞれ単相１００Ｖを供給する第１給電モードと、第１入力線と第１電圧ライン接続線との間、および、第２入力線と第２電圧ライン接続線との間をそれぞれ接続させて、電気設備の第１電圧ラインと第２電圧ラインの間に単相１００Ｖを擬似的な単相２００Ｖとして供給する第２給電モードとを切替えるモード切替スイッチと、このモード切替スイッチが第１給電モードと第２給電モードのいずれにあるかを筐体の外側から識別できるように表示するモード表示器とが設けられている。
【００３６】
このため、電気設備の自主検査を行なう場合、出力用ケーブルの各接続線の一端側を電気設備の対応する各ラインにそれぞれ接続し、入力用ケーブルの一端側のプラグを仮設電源のコンセントに差し込んだ状態で、モード切替スイッチを第１給電モード側に設定すれば、電気設備の第１電圧ラインと中性ラインの間、および、電気設備の第２電圧ラインと中性ラインの間にそれぞれ単相１００Ｖを供給することができ、電気設備の単相１００Ｖのコンセントに対するテストや備え付けの電気機器の動作の確認が行なえる。
【００３７】
また、モード切替スイッチを第１給電モード側から第２給電モードに切り替えれば、電気設備の第１電圧ラインと第２電圧ラインの間に単相１００Ｖを供給することができ、これを擬似的な２００Ｖとして電気設備の単相２００Ｖのコンセントに対するテスト等を行なうことができる。
【００３８】
この給電モードの切替の際には、電気設備に対する出力用ケーブルの各接続線の配線を変更する必要がないから、配線変更による火花の発生がなく、分電盤に焦げ跡を付けたりすることなく安全に給電の切替が行なえる。また、給電モードがいずれのモードになっているかがモード表示器で確実にわかるため、給電モードに対する電気設備へのテストを確実に行なうことができる。
【００３９】
また、本発明の請求項２記載の電気設備工事検査用給電装置では、モード切替スイッチが第１給電モードと第２給電モードの中間点で、第１入力線および第２入力線が出力用ケーブルのいずれの接続線にも接続されない状態に保持可能な中点保持機能付きのスイッチであるので、第１給電モードと第２給電モードとの間の切替わりの際のスイッチの可動接点の接触タイミングのずれやチャタリング等による瞬間的な誤接続による事故が発生せず、第１給電モードと第２給電モードとの間を安全に切り替えることができる。
【００４０】
また、本発明の請求項３記載の電気設備工事検査用給電装置では、装置本体内に引き込んだ入力用ケーブルの第１入力線、第２入力線の少なくとも一方にヒューズが設けられているので、試験対象の電気設備のライン間に短絡がある場合や、出力用ケーブルの接続線同士を誤って接触させた場合でも、電気設備側のブレーカや仮設電源側のブレーカが作動する前に、電流の供給経路を遮断でき、入力用ケーブル、出力用ケーブルの発熱や、電気設備工事に使用している仮設電源が断状態になることを防ぐことができ、他の工事を安全に継続させることができる。
【００４１】
また、本発明の請求項４記載の電気設備工事検査用給電装置では、装置本体内に引き込んだ入力用ケーブルの第１入力線、第２入力線の少なくとも一方に、電流を開閉するためのメインスイッチが挿入されている。
【００４２】
このため、メインスッチをオフ状態にしておけば、仮設電源に対する入力用ケーブルの接続操作と、電気設備のラインに対する出力用ケーブルの各接続線の接続操作のどちらを先に行なっても安全であり、両ケーブルの接続操作完了後にメインスイッチをオン状態にすれば給電が行なえ、検査完了後あるいは緊急時等に、優先的にメインスイッチをオフ状態にすれば、両ケーブルの接続解除操作をその順番を気にすることなく安全に行なうことができる。
【００４３】
また、本発明の請求項５記載の電気設備工事検査用給電装置では、装置本体内にな引き込んだ入力用ケーブルの第１入力線、第２入力線に漏電遮断器が挿入され、請求項６記載の電気設備工事検査用給電装置では、入力用ケーブルの第１入力線、第２入力線の少なくとも一方に過電流遮断器が挿入されている。このため、電気設備の分電盤以降のラインに出力用ケーブルを接続して検査する場合に、電気設備側で漏電（地絡）が発生したり、許容電流以上の電流が流れたとき、直ちに電源供給を遮断させることができ、各ケーブルの発熱、延焼、感電事故などを未然に防ぐことができ、安全な検査が行なえる。
【００４４】
また、本発明の請求項７の電気設備工事検査用給電装置では、出力用ケーブルの各接続線の他端側が３端子雄型コネクタに接続され、装置本体は、出力用ケーブルの３端子雄型コネクタの着脱が可能な３端子雌型コネクタを介して、出力用ケーブルの各接続線の他端側を筐体内に引き込んでいるので、例えば、同じ出力用ケーブルを複数容易しておけば、破損した出力用ケーブルの交換が容易に行なえ、また、接続具の形式が異なる複数種類の出力用ケーブルを予め用意しておき、検査対象の電気設備に対して接続が容易で確実な接続具を有する出力用ケーブルを選択して用いることができる利便性がある。
【００４５】
また、本発明の請求項８の電気設備工事検査用給電装置では、入力用ケーブルの第１入力線、第２入力線およびアース線の他端側は、３端子雌型コネクタに接続され、装置本体は、入力用ケーブルの３端子雌型コネクタの着脱が可能な３端子雄型コネクタを介して、入力用ケーブルの第１入力線、第２入力線およびアース線の他端側を筐体内に引き込んでいるので、例えば、同じ入力用ケーブルを複数容易しておけば、破損した入力用ケーブルの交換が容易に行なえる。また、現場に応じて長さの異なる入力用ケーブルを用意したり、同じ長さの複数本の入力用ケーブルから、現場に応じた長さ分となるように本数を決めて、直列に接続させて用いる方法も採用できる。なお、この入力用ケーブルとして、回転式ドラムの胴部に巻き込まれた長いケーブルを引き出して用いるリール型ケーブルを用いることもできる。
【００４６】
また、本発明の請求項９の電気設備工事検査用給電装置では、モード切替スイッチを介して単相１００Ｖが供給される単相１００Ｖ用コンセントが設けられているので、その単相１００Ｖ用コンセントに単相１００Ｖ用の電気機器のプラグを接続すれば、その電気機器の動作試験が可能となり、電気設備工事検査の他に、例えばその工事に使用する電気工具等の試験も行なえて利便性が向上する。
【００４７】
また、本発明の請求項１０の電気設備工事検査用給電装置では、単相１００Ｖ用コンセントが装置本体に設けられているので、試験対象の電気機器のプラグを直接本体に接続でき、ケーブルの引き回しによるトラブルなどが少なくて済む。
【００４８】
また、本発明の請求項１１の電気設備工事検査用給電装置では、出力用ケーブルとして、電気設備検査用の出力用ケーブルの他に、単相１００Ｖ用コンセントが一端側に設けられた電気機器検査用の出力用ケーブルが含まれており、装置本体を大型化することなく、出力用のケーブルの使い分けで電気機器検査機能を実現できる。
【００４９】
また、本発明の請求項１２の電気設備工事検査用給電装置は、出力用ケーブルが、電気設備検査用と電気機器検査用とを兼ねた出力用ケーブルであるので、どちらの検査対象に対しても一つのケーブルで対応できる。
【図面の簡単な説明】
【００５０】
【図１】本発明の実施形態の全体構成図
【図２】本発明の実施形態の装置本体の正面図
【図３】本発明の実施形態の装置本体の底面図
【図４】本発明の実施形態の装置本体の平面図
【図５】本発明の実施形態の２つの給電モードの接続図
【図６】電気機器検査機能を付加するための装置本体の構成例を示す図
【図７】図６の構成例の内部の配線例を示す図
【図８】電気機器検査機能を付加するために用いる出力用ケーブルの構成例を示す図
【図９】電気機器検査機能を付加するために用いる出力用ケーブルの別の構成例を示す図
【図１０】電気機器検査機能を付加するために用いる出力用ケーブルの別の構成例を示す図
【図１１】図１０の構成例をテーブルタップ式にした場合を示す図
【図１２】従来から自主検査用に用いられていたケーブルおよびその使用形態を示す図
【図１３】図１２と別の使用形態を示す図
【発明を実施するための形態】
【００５１】
以下、図面に基づいて本発明の実施の形態を説明する。
図１は、本発明を適用した電気設備工事検査用給電装置（以下、単に給電装置と記す）２０の構成を示す図、図２は給電装置２０の装置本体の正面図、図３は給電装置２０の装置本体の上面図、図４は給電装置２０の装置本体の状態の底面図である。
【００５２】
図１に示しているように、この給電装置２０は、入力用ケーブル３０、出力用ケーブル４０、装置本体５０によって構成されている。
【００５３】
入力用ケーブル３０は、第１入力線Ｌａ、第２入力線Ｎａおよびアース線Ｅと、これら３本の線の一端側を、単相２線式１００Ｖの仮設電源１のアース付きコンセント２の電源端子２ａ、２ｂおよびアース端子２ｃに接続させるための３端子型のプラグ３１とを含んでいる。また、これら３本の線の他端側は、後述する装置本体５０の筐体５１の底面部５１ａに設けられた３端子雄型コネクタ５２に対して着脱自在な３端子雌型コネクタ３２に接続されており、入力用ケーブル３０の第１入力線Ｌａ、第２入力線Ｎａおよびアース線Ｅの他端側は、このコネクタ同士の接続により、筐体５１内に引き込まれる。
【００５４】
一方、出力用ケーブル４０は、検査対象の単相３線式１００／２００Ｖの電気設備１０の第１電圧ラインの給電端子１０ａ、第２電圧ラインの給電端子１０ｂ、中性ラインの給電端子１０ｃにそれぞれ接続するための第１電圧ライン接続線Ｌ１、第２電圧ライン接続線Ｌ２、中性ライン接続線Ｎｂと、これら各接続線の一端側に接続され、それら各接続線の一端側を電気設備１０の各給電端子１０ａ〜１０ｃにそれぞれ着脱自在に接続するための接続具４１ａ〜４１ｃとを含んでいる。接続具４１ａ〜４１ｃは、例えば、電気設備１０の各給電端子にはさみ付けて接触保持する金属クリップ（鰐口クリップ）や各ラインのネジ止め部に締め付けて接触保持させるネジ止めワッシャ等が使用できる。なお、ここでは、電気設備１０の接続対象を分電盤の入力側の給電端子とするが、給電端子以降のメインブレーカ、漏電遮断器、個別ブレーカを接続しているラインや、分電盤の出力ラインを接続対象とすることができる。
【００５５】
これらの各接続線の被覆の色は、電気設備１０で３色に色分けされた各ラインに対応させて、第１電圧ライン接続線Ｌ１を赤、中性ライン接続線Ｎｂを白、第２電圧ライン接続線Ｌ２を黒としており、さらに、接続具４１ａ〜４１ｃの絶縁カバーの色も、各接続線の被覆の色に対応させて３色に分けられている。
【００５６】
これら３本の接続線の他端側は、装置本体５０の筐体５１の底面部５１ａに設けられた３端子雌型コネクタ５３に対して着脱自在な３端子雄型コネクタ４２に接続されており、出力用ケーブル４０の各接続線の他端側は、このコネクタ同士の接続により、装置本体５０の筐体５１内に引き込まれる。
【００５７】
装置本体５０の筐体５１は、感電等の事故を発生させないように絶縁性材料で作業者が片手で持てる程度の大きさのほぼ直方体に形成され、入力用ケーブル３０の第１入力線Ｌａ、第２入力線Ｎａおよびアース線Ｅの他端側、出力用ケーブル４０の各接続線の他端側を、前記したようにコネクタ同士の接続により筐体５１の底面部５１ａから内部に引き込んでいる。なお、入力用ケーブル３０と出力用ケーブル４０の他端側の引込みは、上記したようなコネクタ同士の接続による形態だけでなく、筐体５１の底面部５１ａやその他の面（例えば両側面部）に設けた穴を通して筐体５１の内部にケーブル他端側を直接引き込む形態であってもよい。
【００５８】
装置本体５０は、筐体５１の内部に引き込まれた入力用ケーブル３０の第１入力線Ｌａ、第２入力線Ｎａを、ヒューズ６１、メインスイッチ６２、漏電遮断器６３および過電流遮断器６５を経由させてモード切替スイッチ７５に入力させ、このモード切替スイッチ７５に対する操作により、入力用ケーブル３０の第１入力線Ｌａ、第２入力線Ｎａと出力用ケーブル４０の各接続線Ｌ１、Ｌ２、Ｎｂとの間を異なる２つの給電モードで接続させる。また、装置本体５０には、異常発生報知回路７０、モード表示器８０およびアース接続端子８５が設けられている。
【００５９】
ヒューズ６１は、入力用ケーブル３０の許容電流（例えば１２Ａ）以下の電流（例えば１０Ａ）で溶断する容量のものであり、コネクタ５２を介して筐体５１内に引き込まれた入力用ケーブル３０の第１入力線Ｌａまたは第２入力線Ｎａの少なくとも一方に直列に挿入されている。なお、このヒューズ６１は、筐体５１の底面部５１ａに設けられたヒューズホルダ５４に収容されていて、ヒューズホルダ５４の開閉操作により筐体５１の外側から交換可能になっている。
【００６０】
メインスイッチ６２は２極双投型のスイッチであり、ヒューズ６１の後段（前段でもよい）において、第１入力線Ｌａに挿入された入力端子６２ａと出力端子６２ｂの間および第２入力線Ｎａに挿入された入力端子６２ｃと出力端子６２ｄの間を並行的に開閉して、給電をオンオフする。このメインスイッチ６２はシーソー型の透光性を有する操作部を筐体５１の前面部５１ｂに露出させた状態で取り付けられており、オン状態で出力端子６２ｂ、６２ｄから出力される１００Ｖの印加により発光して操作部を点灯させるランプ６２ｅ（ネオンランプと抵抗との直列回路）が内蔵されている。なお、後述する各ランプもネオンランプと抵抗との直列回路で構成されるものとする。
【００６１】
メインスイッチ６２に続く第１入力線Ｌａと第２入力線Ｎａに挿入された漏電遮断器６３は、第１入力線Ｌａを流れる電流の大きさと、第２入力線Ｎａを流れる電流の大きさの差を検出し、その差が所定値以上になると、第１入力線Ｌａと第２入力線Ｎａの電流経路を遮断する。
【００６２】
つまり、電気設備工事の配線に漏電（地絡）がない場合、両入力線に流れる電流の大きさ（絶対値）は等しくなるが、漏電（地絡）がある場合、その漏電経路に流れる電流分だけ、入力線間の間の電流に差が生じる。この漏電遮断器６３は、汎用的に用いられている市販品であり、所定の漏電電流（例えば６ｍＡ）が所定時間（例えば０．１秒）以上流れると、第１入力線Ｌａ、第２入力線Ｎａの電流経路を遮断する。また、図１には図示しないが、この漏電遮断器６３には、漏電検出して電流経路を遮断した状態になると点灯する漏電検出ランプ６３ａ、電流経路遮断状態から接続状態に復帰させるためのリセットボタン６３ｂ、および漏電検出機能が働くか否かをテストするためのテストボタン６３ｃが設けられ、これらの漏電検出ランプ６３ａ、リセットボタン６３ｂ、テストボタン６３ｃが、筐体５１の前面部５１ｂに露出する状態で筐体５１内部に固定されている。
【００６３】
なお、一般的に電気設備１０の分電盤に設けられる漏電遮断器の定格電流は３０ｍＡ程度であるの対し、給電装置２０の漏電遮断器６３の方が漏電に対する感度が高くなっているので、電気設備１０側に漏電があっても分電盤側の漏電遮断器を作動させずに済む。
【００６４】
漏電遮断器６３の後段に設けられた過電流遮断器６５は、漏電遮断器６３の一方の出力ライン（ここでは入力線Ｌａ側）に挿入されたブレーカ付きのスイッチ（リミットスイッチとも呼ばれる）６６により構成されている。このスイッチ６６は、シーソー型の操作部に対する操作で入力端子６６ａと出力端子６６ｂの間を開閉させる単極型スイッチであるが、入力端子６６ａと出力端子６６ｂの間を接続させる可動片６６ｃはバイメタルで形成されていて、オン状態で電流が所定電流を超えると、発熱により可動片６６ｃが端子間を開く方向に変形し、電気的にオフ状態となり、且つ操作部もオフ状態に動かす。
【００６５】
このスイッチ６６にも操作部を内側から照明するためのランプ６６ｄが内蔵されている。ランプ６６ｄの一端側はスイッチ内部で入力端子６６ａに接続され、他端側はランプ端子６６ｅを介して、スイッチ６６の外部で出力端子６６ｂに接続されている。また、このスイッチ６６は、その操作部が筐体５１の上面部５１ｃから露出するように取り付けられている。
【００６６】
なお、漏電遮断器６３から１００Ｖが出力されている状態で、スイッチ６６がオン状態のときはランプ６６ｄの両端が接続された状態となりランプ６６ｄは点灯しないが、操作部のオフ側への操作や過電流によりスイッチ６６がオフ状態になると、ランプ６６ｄの一端側は入力線Ｌａに接続され、他端側は、後述する異常発生報知回路７０のリレー７１のコイル７１ａを介して入力線Ｎａに接続される。ここで、リレー７１のコイル７１ａの抵抗は、ランプ６６ｄのネオン管点灯用の抵抗より十分に小さいので、ランプ６６ｄの両端には１００Ｖ近い電圧が印加され、ネオン型のランプ６６ｄは点灯することになる。なお、ランプ６６ｄが点灯するのに必要な電流は小さいので、リレー７１がオン状態になることはない。
【００６７】
スイッチ６６が検出する過電流は、電気設備において、コンセントを介さずに各ラインに直結される電器器具（例えば電灯、換気扇、床下暖房器等）や工事された配線の僅かな接触等により流れる電流の総和が、給電装置２０の許容電流（基本的には入力ケーブル３０、出力用ケーブル４０の許容電流）に近くなる値であり、例えば、１２．５Ａで３０秒以内、１０Ａで６０分以内にオン状態からオフ状態に切り換わるように設定されている。
【００６８】
なお、上記過電流遮断器６５は、一方の入力線Ｌａ側にブレーカ付きのスイッチ６６を挿入して構成していたが、他方の入力線Ｎａにブレーカ付きのスイッチ６６を挿入して構成してもよい。
【００６９】
過電流遮断器６５を経由した入力線Ｌａと、漏電遮断器６３を経由した入力線Ｎａは、後述するモード切替スイッチ７５に接続されている。
【００７０】
異常発生報知回路７０は、漏電遮断器６３で漏電が検知されたり、過電流遮断器６５で過電流が検出されて、モード切替スイッチ７５に対する入力線Ｌａ、Ｎａの電流経路が遮断された場合に、これをブザー音とランプの点灯で報知するための回路である。
【００７１】
この異常発生報知回路７０は、図１に示しているように、リレー７１、ブザー７２、ランプ７３により構成されている。リレー７１は非通電時に接点間が閉じるノーマルクローズ型で、モード切替スイッチ７５に入力される入力線Ｌａ、Ｎａの間に接続されたコイル７１ａに１００Ｖが印加されている状態（漏電や過電流が検出されていない状態）で２つの端子７１ｂ、７１ｃの間がオフ状態となり、漏電や過電流が検出されて、コイル７１ａに１００Ｖが印加されなくなると端子７１ｂ、７１ｃの間がオン状態となり、漏電遮断器６３へ入力される入力線Ｌａ、Ｎａの１００Ｖをブザー７２、ランプ７３に供給して、ブザー音を発生させ、ランプ７３を点灯させる。前記したように、リレー７１のコイル７１ａは、過電流遮断器６５のスイッチ６６がオフ状態になったときに、スイッチ内蔵のランプ６６ｄを点灯させる役目も兼ねている。
【００７２】
モード切替スイッチ７５は、前記したように、入力用ケーブル３０の入力線Ｌａ、Ｎａと出力用ケーブル４０の各接続線Ｌ１、Ｌ２、Ｎｂとの間の接続状態を切り替える為のスイッチであり、筐体５１の上面部５１ｃにシーソー型の操作部が露出するように取り付けられている。
【００７３】
このモード切替スイッチ７５は、第１給電モードと第２給電モードの切替えが可能になっている。第１給電モードは、図５の（ａ）に示すように、第１入力線Ｌａと第１電圧ライン接続線Ｌｌの間、第１入力線Ｌａと第２電圧ライン接続線Ｌ２との間、および、第２入力線Ｎａと中性ライン接続線Ｎｂとの間をそれぞれ接続させて、電気設備の第１電圧ライン給電端子１０ａと中性ライン給電端子１０ｃの間、および、電気設備の第２電圧ライン給電端子１０ｂと中性ライン給電端子１０ｃの間にそれぞれ単相１００Ｖを供給させるモードである。
【００７４】
また、第２給電モードは、図５の（ｂ）に示すように、第１入力線Ｌａと第２電圧ライン接続線Ｌ２との間、および、第２入力線Ｎａと第１電圧ライン接続線Ｌ１との間をそれぞれ接続させて、電気設備の第１電圧ライン給電端子１０ａと第２電圧ライン給電端子１０ｂの間に単相１００Ｖを擬似的な単相２００Ｖとして供給するモードである。この第２給電モードの場合、中性ライン接続線Ｎｂは、いずれの入力線にも接続されない状態（オープン状態）となる。
【００７５】
上記二つの給電モードを実現するための具体的なスイッチ接続形態として、この実施形態では、図１に示しているように、モード切替スイッチ７５として中点保持機能付きの３極双投型のスイッチを用い、その操作部が中点位置に保持されている状態で、２つの入力線Ｌａ、Ｎａが、出力用ケーブル４０のいずれの接続線にも接続されない状態を実現し、第１給電モードと第２給電モードとの間を安全に切り替えられるようにしている。
【００７６】
この中点保持機能付きの３極双投型のスイッチを用いた場合のモード切替スイッチ７５の配線については種々考えられるが、本実施形態では、図１に示しているように、モード切替スイッチ７５の２つの入力端子７６ａ、７７ａに第１入力線Ｌａを接続し、残りの入力端子７８ａに第２入力線Ｎａを接続する。そして、入力端子７６ａが第１給電モードの際に接続される出力端子７６ｂに第１電圧ライン接続線Ｌ１を接続し、入力端子７７ａが第１給電モードの際に接続される出力端子７７ｂに第２電圧ライン接続線Ｌ２を接続し、入力端子７８ａが第１給電モードの際に接続される出力端子７８ｂに中性ライン接続線Ｎｂを接続する。また、入力端子７６ａが第２給電モードの際に接続される出力端子７６ｃを第２電圧ライン接続線Ｌ２に接続し、入力端子７８ａが第２給電モードの際に接続される出力端子７８ｃを第１電圧ライン接続線Ｌ１に接続する。
【００７７】
このように接続することで、モード切替スイッチ７５の操作部を第１給電モード側に設定すれば、図５の（ａ）に示した接続状態となり、モード切替スイッチ７５の操作部を第２給電モード側に設定すれば、図５の（ｂ）に示した接続状態となる。
【００７８】
また、このモード切替スイッチ７５は、操作部が、第１給電モードと第２給電モードの中間位置で保持されたとき、第１入力線Ｌａと第２入力線Ｎａが、いずれの接続線にも接続されない状態に保持できる。このため、２つの給電モードのいずれかの状態しか無いスイッチを使用した場合に比べ、メインスイッチ６２がオン状態のときに作業者が第１電圧ライン接続線Ｌ１や第２電圧ライン接続線Ｌ２の接続具の金属部に触れた場合に感電したり、スイッチの可動接点の接触タイミングのずれやチャタリング等による瞬間的な誤接続や意図しない経路への電気の回り込みよる事故の発生を抑制でき、第１給電モードと第２給電モードとの間を安全に切り替えられる。
【００７９】
モード切替スイッチ７５の接続状態は、筐体５１の前面部５１ｂに設けられたモード表示器８０を構成する２つのネオン型のランプ８１、８２によって判別できる。一方のランプ８１は、第１給電モードで第１電圧ライン接続線Ｌ１と中性ライン接続線Ｎｂの間に印加される１００Ｖにより点灯し、他方のランプ８２は、第２給電モードで第１電圧ライン接続線Ｌ１と第２電圧ライン接続線Ｌ２の間に印加される１００Ｖにより点灯する。なお、これらのランプ８１、８２は、給電モードの識別がよりしやすいように、異なる色で発光するようにしている（実際にはランプの発光色でなく、ランプカバーの色を変えている）。
【００８０】
この表示から、給電装置２０が、第１給電モードと第２給電モードのいずれにあるかを確実に判断できる。なお、モード切替スイッチ７５の操作部が中点位置に保持されている場合には、二つのランプ８１、８２は点灯しない。
【００８１】
一方、装置本体５０の筐体５１内に引き込まれた入力用ケーブル３０のアース線Ｅは、アース接続用コネクタ８５に接続されている。アース接続用コネクタ８５には、装置本体５０の筐体５１の外側からアースケーブル９０の接続が可能になっている。アースケーブル９０は、電気設備１０のアース付きコンセント等に配線接続されたアースライン接続端子１０ｄに接続させるケーブルであり、出力用ケーブル４０と同様に、その一端側には鰐口クリップなどの接続具９１が接続されており、他端側にはアース接続用コネクタ８５に接続可能な１端子雄型のコネクタ９２が接続されている。
【００８２】
次に、この給電装置２０の使用方法および動作について説明する。
電気設備工事の自主検査を行なう場合、始めに、装置本体５０に入力用ケーブル３０およびアースケーブル９０を接続しておく。
【００８３】
また、初期状態として、メインスイッチ６２をオフ、過電流遮断器６５のスイッチ６６をオン（ＲＥＳＥＴ側）とし、モード切替スイッチ７５を中点位置にセットする。
この状態で、入力用ケーブル３０を仮設電源１０に接続し、アースケーブル９０をアースライン接続端子１０ｄに接続する。
【００８４】
次に、メインスイッチ６２をオンとし、その操作部に内蔵されたランプ６２ｅが点灯することを確認する。点灯しない場合には、入力用ケーブル３０の接続状態、ヒューズ６１の状態等、仮設電源１の状態等を確認する。
【００８５】
メインスイッチ６２のランプ点灯を確認した後、過電流遮断器６５のスイッチ６６をオフに切り替え、その操作部に内蔵されたランプ６６ｄが点灯すること、および、ブザー７２によるブザー音が発生し、ランプ７３が点灯することを確認する。これらの確認後、過電流遮断器６５のスイッチ６６をオンに戻す。
【００８６】
次に、漏電遮断器６３のテストボタン６３ｃを押し、漏電検出ランプ６３ａが点灯すること、および、ブザー７２によるブザー音が発生し、ランプ７３が点灯することを確認する。これらが確認できた場合、漏電遮断器６３のリセットボタン６３ｂを押して、通電状態に戻す。
【００８７】
次に、モード切替スイッチ７５を中点位置から例えば第１給電モード側に切り替え、第１給電モードに対応したランプ８１の点灯を確認し、その後、中点位置に戻してから第２給電モード側に切り替え、第２給電モードに対応したランプ８２の点灯を確認し、確認が済んだら、モード切替スイッチ７５を中点位置に戻す。
【００８８】
以上の処理は、自主検査を安全に行なうために必要な給電装置２０の動作確認であり、上記動作に問題がなければ、出力用ケーブル３０の各接続線の接続具を、検査対象の電気設備１０の各給電端子１０ａ〜１０ｃに接続し、モード切替スイッチ７５を、中点位置から例えば第１給電モード側に切り替える。
【００８９】
この第１給電モードのとき、電気設備１０の第１電圧ラインの給電端子１０ａおよび第２電圧ラインの給電端子１０ｂが入力線Ｌａに接続され、中性ライン給電端子１０ｃが入力線Ｎａに接続されるので、電気設備１０の各１００Ｖコンセントへの通電、１００Ｖ用電灯等の動作等をテスタ等を用いて検査できる。
【００９０】
また、第１給電モードによる検査が終わった後、モード切替スイッチ７５を一旦中点位置に戻し、その後に、第２給電モード側に切り替える。
【００９１】
この第２給電モードのとき、電気設備１０の第１電圧ラインの給電端子１０ａが入力線Ｎａに接続され、第２電圧ラインの給電端子１０ｂが入力線Ｌａに接続されるので、電気設備１０の各２００Ｖコンセントへの通電（実際には１００Ｖの印加を確認する）等をテスタなどを用いて検査できる。
【００９２】
また、上記検査において、電気設備１０に短絡があれば、ヒューズ６１が切れて、メインスイッチ６２のランプ６２ｅが消えるので、作業者は短絡の発生を認識でき、メインスイッチ６２をオフ状態にし、入力用ケーブル３０を仮設電源１から外し、出力用ケーブル４０を電気設備１０から外して、電気設備１０の短絡箇所を特定して修理する。
【００９３】
また、電気設備１０側に漏電があれば漏電遮断器６３が作動して、モード切替スイッチ７５への給電が遮断され、漏電遮断器６３の漏電検出ランプ６３ａが点灯し、ブザー７２によるブザー音が発生し、ランプ７３が点灯するので、作業者は漏電の発生を認識でき、電気設備１０の漏電箇所を特定して修理する。
【００９４】
また、電気設備１０に過電流が流れた場合、過電流遮断器６５のスイッチ６６がオフ状態に切り換わり、モード切替スイッチ７５への給電が遮断され、スイッチ６６のランプ６６ｄが点灯し、ブザー７２によるブザー音が発生し、ランプ７３が点灯するので、作業者は過電流の発生を認識でき、電気設備１０の過電流の原因を調べ、必要であれば修理する。
【００９５】
このように、実施形態の給電装置２０では、モード切替スイッチ７５の操作により、電気設備の第１電圧ラインと中性ラインの間、および、電気設備の第２電圧ラインと中性ラインの間にそれぞれ単相１００Ｖを供給する第１給電モードと、電気設備の第１電圧ラインと第２電圧ラインの間に単相１００Ｖを擬似的な単相２００Ｖとして供給する第２給電モードとを切替えることができ、モード表示器により、給電モードがいずれであるかを識別できるように表示している。
【００９６】
この給電モードの切替えの際には、電気設備１０に対する出力用ケーブルの各接続線の配線を変更する必要がないから、配線変更による火花の発生がなく、分電盤に焦げ跡を付けたりすることなく安全に給電の切替が行なえる。また、給電モードがいずれのモードになっているかがモード表示器８０で確実にわかるため、給電モードに対する電気設備へのテストを確実に行なうことができる。
【００９７】
また、モード切替スイッチ７５として、第１給電モードと第２給電モードの中間点で、第１入力線および第２入力線が出力用ケーブル４０のいずれの接続線にも接続されない状態に保持可能な中点保持機能付きのスイッチを用いているので、第１給電モードと第２給電モードとの間の切替わりの際のスイッチの可動接点の接触タイミングのずれ等による瞬間的な誤接続、回り込み等による事故が発生せず、第１給電モードと第２給電モードとの間を安全に切り替えることができる。
【００９８】
また、装置本体５０内に引き込んだ入力用ケーブル３０の入力線Ｌａ、Ｎａの少なくとも一方にヒューズ６１を挿入しているので、試験対象の電気設備１０のライン間に短絡がある場合や、出力用ケーブル３０の接続線同士を誤って接触させた場合でも、電気設備１０側のブレーカや仮設電源１側のブレーカが作動する前に、電流の供給経路を遮断でき、入力用ケーブル３０、出力用ケーブル４０の発熱や、電気設備工事に使用している仮設電源１が断状態になることを防ぐことができ、他の工事を安全に継続させることができる。
【００９９】
また、入力線Ｌａ、Ｎａの少なくとも一方にメインスイッチ６２が挿入されているので、このメインスッチ６２をオフ状態にしておけば、仮設電源１に対する入力用ケーブル３０の接続操作と、電気設備１０の各ラインに対する出力用ケーブル４０の各接続線の接続操作のどちらを先に行なっても安全であり、両ケーブルの接続操作完了後にメインスイッチ６２をオン状態にすれば給電が行なえ、検査完了後あるいは緊急時等に、優先的にメインスイッチ６２をオフ状態にすれば、両ケーブルの接続解除操作をその順番を気にすることなく安全に行なうことができる。
【０１００】
また、入力用ケーブル３０の入力線Ｌａ、Ｎａに、漏電遮断器６３や過電流遮断器６５を挿入しているので、電気設備１０の分電盤以降のラインに出力用ケーブル４０を接続して検査する場合に、電気設備側で漏電（地絡）が発生したり、許容電流以上の電流が流れたとき、直ちに電源供給を遮断させることができ、各ケーブルの発熱、延焼、感電事故などを未然に防ぐことができ、安全な検査が行なえる。
【０１０１】
また、出力用ケーブル４０の装置本体５０への引込みをコネクタを介して行なっているので、例えば、同じ出力用ケーブルを複数容易しておけば、破損した出力用ケーブルの交換が容易に行なえ、また、接続具の形式が異なる複数種類の出力用ケーブルを予め用意しておき、検査対象の電気設備に対して接続が容易で確実な接続具を有する出力用ケーブルを選択して用いることができる利便性がある。
【０１０２】
また、入力用ケーブル３０の装置本体５０への引込みをコネクタを介して行なっているので、例えば、同じ入力用ケーブルを複数容易しておけば、破損した入力用ケーブルの交換が容易に行なえる。また、現場に応じて長さの異なる入力用ケーブルを用意したり、同じ長さの複数本の入力用ケーブルから、現場に応じた長さ分となるように本数を決めて、直列に接続させて用いる方法も採用できる。なお、この入力用ケーブルとして、回転式ドラムの胴部に巻き込まれた長いケーブルを引き出して用いるリール型ケーブルを用いることもできる。
【０１０３】
上記実施例では、入力線Ｌａ、Ｎａに、ヒューズ６１、メインスイッチ６２、漏電遮断器６３、過電流遮断回器６５等の保護回路を挿入して、給電装置２０や仮設電源１を保護し、また仮設電源１の予期しない供給停止を防止しているが、これらの保護回路全てが必須ではなく、必要に応じて取捨選択して用いることができる。最も単純な構成としては、これらの保護回路を省略して、筐体内に引き込んだ入力線Ｌａ、Ｎａをモード切替スイッチ７５に直接入力する構成であってもよい。
【０１０４】
また、上記各保護回路の挿入順位も任意であり、漏電遮断器６３と過電流遮断器６５としては、それらの機能をまとめて有する既存の漏電／過電流遮断器１つで置き換えることもできる。
【０１０５】
なお、上記実施形態では、装置本体５０を誤って電気設備１０の例えば分電盤の端子等に接触させても感電事故等が発生しないように、装置本体５０の筐体５１およびその筐体５１の外側に露出する全ての部品、即ち、各スイッチの操作部やランプのカバー、各コネクタの外周部が絶縁性を有する合成樹脂で形成されている。
【０１０６】
また、上記実施形態の装置本体５０の形状、各スイッチ、各コネクタ、各ランプの形状や位置は、本発明を限定するものではなく、種々の変更が可能である。また、前記実施形態では、各スイッチ６２、６６の内蔵ランプ６２ｅ、６６ｄ、異常発生報知用のランプ７３、モード表示用のランプ８１、８２をネオン管型としていたが、ＬＥＤ型のランプであってもよい。
【０１０７】
前記実施形態の給電装置２０は、分電盤等を含む電気設備を対象とするものであったが、検査対象を単相１００Ｖ用の電気機器に拡張することが可能である。特に、電気設備工事に使用する各種電気工具を使用前に検査することは安全面からみて非常に大切なことであり、その検査にこの給電装置が使用できれば、非常に便利である。
【０１０８】
その場合、モード切替スイッチ７５から供給される単相１００Ｖを単相１００Ｖ用コンセントに与えればよく、この単相１００Ｖのコンセントは、装置本体あるいは出力用ケーブルに設けることができる。
【０１０９】
図６は、電気機器検査用のアース端子付きの単相１００Ｖ用コンセント（以下、単にコンセントと記す）４５、４６を装置本体５０′に設け、出力用ケーブルを介さずに単相１００Ｖ用の電気機器を接続できるようにした例を示している。
【０１１０】
この場合、図７に示すように、装置本体内で、第１給電モードの際にモード切替スイッチ７５から単相１００Ｖが供給される接続線Ｌ１、Ｎｂ（Ｌ２、Ｎｂでもよい）を一方のコンセント４５に接続し、第２給電モードの際にモード切替スイッチ７５から単相１００Ｖが供給される接続線Ｌ１、Ｌ２を他方のコンセント４６に接続し、両コンセント４５、４６のアース端子とアース線接続コネクタ８５との間をアース線Ｅで接続する。
【０１１１】
このように接続することで、モード切替スイッチ７５を第１給電モードに設定すれば、コンセント４５に単相１００Ｖが供給され、モード切替スイッチ７５を第２給電モードに設定すれば、コンセント４６に単相１００Ｖが供給されることになり、これらのコンセント４５、４６に、検査対象の電気機器（例えば電気工具）のプラグ２００、２０１を接続することで、それら電気機器の動作試験（短絡、漏電、過電流、断線などを含む）を選択的に行なうことができる。また、一般的な絶縁検査器とは違って、実際に電気機器に対して十分な電力が供給されるので、その機器が正常に稼働するか否かを把握できる。また、このように、コンセント４５、４６を装置本体５０′に設けた場合、検査対象の電気機器のプラグ２００、２０１を直接装置本体に接続でき、ケーブル引き回しによるトラブルなどが少なくて済む。
【０１１２】
次に、単相１００Ｖ用コンセントを出力用ケーブルに設ける場合について説明する。この場合、電気設備検査用の出力用ケーブル４０と別の電気機器検査用の出力用ケーブルを用いる場合と、電気設備検査用と電気機器検査用とを兼用できる出力用ケーブルを用いる場合とが考えられる。
【０１１３】
図８は、電気設備検査用の出力用ケーブル４０とは別の電気機器検査用の出力用ケーブル４０′を用いた例を示している。この出力用ケーブル４０′は、電気設備検査用の出力用ケーブル４０と同様に、装置本体５０の３端子雌型コネクタ５３に対して着脱自在な３端子雄型コネクタ４２′が一端側に設けられ、その３端子雄型コネクタ４２の３つの端子に各接続線Ｌ１、Ｌ２、Ｎｂの一端側が接続され、これらの３つの線とアース線接続用コネクタ８５に外部から接続可能なコネクタ９２′設けられたアース線Ｅとを含めて４線構造となっている。
【０１１４】
この出力用ケーブル４０′の他端側は、モード切替スイッチ７５により、第１給電モードの際に単相１００Ｖが供給される接続線Ｌ１、Ｎｂ（Ｌ２、Ｎｂでもよい）とアース線Ｅの３線構造のケーブル部４０ａ′と、第２給電モードの際に単相１００Ｖが供給される接続線Ｌ１、Ｌ２とアース線Ｅの３線構造のケーブル部４０ｂ′に分岐され、ケーブル部４０ａ′、４０ｂ′の先端にそれぞれコンセント４５、４６が接続されている。
【０１１５】
これらのコンセント４５、４６は、ケーブルと一体的に形成され、各端子への配線部分がゴムの防水カバーで覆われた汎用的なものとするが、コンセントの外形は任意であり、２つのコンセント４５、４６が一つのケースに収容されたテーブルタップ型であってもよい。また、コンセントの数も任意であり、コンセント４５、４６をそれぞれ複数並べたテーブルタップであってもよい。
【０１１６】
この出力用ケーブル４０′を、出力用ケーブル４０の代わりに装置本体５０に接続し、アース線Ｅのコネクタ９２′をアース接続用コネクタ８５に接続し、前記同様に、モード切替スイッチ７５を第１給電モードに設定すればコンセント４５に単相１００Ｖが供給され、モード切替スイッチ７５を第２給電モードに設定すれば、コンセント４６に単相１００Ｖが供給されることになり、これらのコンセント４５、４６にプラグ接続された電気機器の動作試験を選択的に行なうことができる。なお、電気機器の動作試験を行なう場合には、給電装置２０の入力用ケーブル３０を、仮設電源１以外の既設の単相１００Ｖのコンセントに接続してもよい。
【０１１７】
この例のように、出力用ケーブルとして、電気設備検査用の出力用ケーブル４０と電気機器検査用の出力用ケーブル４０′をそれぞれ用意すれば、検査対象に応じて使い分けができる。また、２種類の出力用ケーブル４０、４０′の他端側と、装置本体５０のモード切替スイッチ７５との間をコネクタを介して着脱自在に接続させているので、検査対象に応じた出力用ケーブルのみを接続すればよく、装置本体５０にコンセントを設ける構造に比べて小型に構成でき、無用なケーブルによる引き回しのトラブルが少ない。
【０１１８】
また、上記のように、２種類の出力用ケーブル４０、４０′の他端側を同型の雄型コネクタとし、装置本体５０は、２種類の出力用ケーブル４０、４０′の他端側の雄型コネクタに対して着脱自在な単一の雌型コネクタ５３を介して、いずれか一つの出力用ケーブルをモード切替スイッチ７５に接続させているので、出力用ケーブル接続のための共通のコネクタを装置本体５０に一つだけ設ければよく、装置本体をさらに小型に構成できる。
【０１１９】
なお、上記出力用ケーブル４０′は、モード切替スイッチ７５のモード切替操作に応じてコンセント４５、４６に選択的に単相１００Ｖを供給しているが、例えば図９に示す出力用ケーブル４０″のように、一方の給電モード（この例では第１給電モード）のときだけ、単相１００Ｖが供給される接続線（この例ではＬ１、Ｎｂ）にコンセント４５、４６を並列接続してもよい。
【０１２０】
また、出力用ケーブルにコンセントを設ける場合の別の構成例として、図１０に示すように、電気設備検査用と電気機器検査用の出力用ケーブルを兼用する出力用ケーブル１００を用いることもできる。この出力用ケーブル１００の場合、前記した出力用ケーブル４０′の他端側から、さらに３つの接続線Ｌ１、Ｌ２、Ｎｂとアース線Ｅの４線構造のケーブル部４０ｃ′を分岐させ、その先端に、分電盤等の電気設備検査用の接続具４１ａ〜４１ｃ、９１を設ければよい。ただし、この場合、出力用ケーブルの他端側が３分岐されて扱いにくなる恐れがあるので、図１１の出力用ケーブル１００′のように、コンセント４５、４６と分岐用のケーブル部４０ａ′、４０ｂ′とをテーブルタップ４７内に収容したものを用いればよい。この兼用型の出力用ケーブル１００、１００′であれば、検査対象が変わってもケーブル交換作業は不要となる。
【０１２１】
なお、上記実施形態では、２種類の出力用ケーブル４０、４０′（４０″）あるいは兼用型の出力用ケーブル１００（１００′）を、コネクタを介して装置本体に着脱自在に接続する構造を示したが、出力用ケーブルをコネクタを介さずに装置本体から直接引き出す構造を全体的にあるいは部分的に採用してもよい。
【０１２２】
また、２種類の出力用ケーブル４０、４０′（４０″）のコネクタを異なる形状とし、それを受け入れる装置本体側のコネクタも２種類の出力用ケーブル４０、４０′（４０″）にそれぞれ対応した異なる形状のものを用いてもよい。
【０１２３】
また、前記実施形態では、モード切替スイッチ７５から単相１００Ｖが供給されるコンセント４５、４６としてアース端子付き３端子型のコンセントを用いているので、検査対象の電気機器のプラグが、アース端子付き３端子型の場合だけでなく、アース端子無しの２端子型のプラグであってもそのまま対応できる。
【０１２４】
また、検査対象の電気機器のプラグがアースリード付きの２端子型の場合、そのアースリードを給電装置２０のアース接続用コネクタ８５に接続すればよい。例えば、前記したように、装置本体側にコンセント４５、４６が設けられている場合には、電気機器のプラグのアースリードを直接あるいは若干延長してアース接続用コネクタ８５に接続すればよく、また、前記したように出力用リード４０′、４０″、１００、１００′にコンセント４５、４６が設けられている場合には、その出力用ケーブルとは別のアース線を介して、電気機器のプラグのアースリードとアース接続用コネクタ８５との間を接続すればよい。
【０１２５】
また、給電装置２０に設ける単相１００Ｖ用のコンセントとして、アース端子無しの２端子型のものを用いることも可能である。この場合、検査対象の電気機器のプラグがアース端子無しの２端子型であれば給電装置２０のコンセントに直接接続できるが、検査対象の電気機器のプラグがアース端子付きの３端子型であると直接接続することができないので、そのプラグにアースリード付き２端子型の変換プラグを付けて給電装置２０側のコンセントに接続し、変換プラグのアースリードを前記同様に給電装置２０のアース接続用コネクタ８５に直接あるいは延長して接続すればよい。
【符号の説明】
【０１２６】
１……仮設電源、１０……電気設備、２０……電気設備工事検査用給電装置、３０……入力用ケーブル、４０、４０′、１００……出力用ケーブル、４５、４６……単相１００Ｖ用コンセント、４７……テーブルタップ、５０……装置本体、５１……筐体、５２、５３……コネクタ、６１……ヒューズ、６２……メインスイッチ、６３……漏電遮断器、６５……過電流遮断器、６６……スイッチ、７０……異常発生報知回路、７５……モード切替スイッチ、８０……モード表示器、８１、８２……ランプ、８５……アース接続用コネクタ、９０……アースケーブル
【図１】
2018059891.tif 000003
【図２】
2018059891.tif 000004
【図３】
2018059891.tif 000005
【図４】
2018059891.tif 000006
【図５】
2018059891.tif 000007
【図６】
2018059891.tif 000008
【図７】
2018059891.tif 000009
【図８】
2018059891.tif 000010
【図９】
2018059891.tif 000011
【図１０】
2018059891.tif 000012
【図１１】
2018059891.tif 000013
【図１２】
2018059891.tif 000014
【図１３】
2018059891.tif 000015